(57)【特許請求の範囲】
【請求項１】
所定の開口部を覆うべく揺動自在に支持されて駆動されるフィルタ羽根であって、
前記開口部を覆う有効領域から自由端側の領域を形成するフィルタ板と、
前記開口部を覆う有効領域から外れた揺動支点側の領域を形成するべく前記フィルタ板の片面に接合される補強板を含み、
前記フィルタ板は、主位置決め孔及び従位置決め孔を有し、
前記補強板は、主位置決め孔及び従位置決め孔を有し、
前記フィルタ板及び前記補強板の従位置決め孔は、直線の方向に伸長する長孔として形成され、
前記フィルタ板及び前記補強板とは、前記フィルタ板および前記補強板の従位置決め孔同士が重ねられかつ略同一位置で接合され、
前記フィルタ板の主位置決め孔は、前記接合された状態では前記直線上の前記フィルタ板及び前記補強板の従位置決め孔に対する一方側に配置され、
前記補強板の主位置決め孔は、前記接合された状態では前記直線上の前記フィルタ板及び前記補強板の従位置決め孔に対する他方側に配置される、
ことを特徴とするフィルタ羽根。
【請求項２】
前記補強板は、駆動源の駆動ピンを連結する駆動孔と、揺動自在に支持する支軸を通す支軸孔を有し、
前記補強板の主位置決め孔は、前記支軸孔を兼ねる、
ことを特徴とする請求項１に記載のフィルタ羽根。
【請求項３】
光路用の開口部を有する地板と、前記地板と平行に配置される裏板と、前記地板及び裏板の間に収容されると共に前記開口部に臨む位置と前記開口部から後退した位置との間を移動する羽根部材と、前記羽根部材を揺動自在に駆動する駆動源とを備えたカメラ用羽根駆動装置であって、
前記羽根部材は、請求項１又は２に記載のフィルタ羽根である、
ことを特徴とするカメラ用羽根駆動装置。
【発明の詳細な説明】
【技術分野】
【０００１】
本発明は、カメラにおける光量を調節するフィルタ羽根及びカメラ用羽根駆動装置に関し、特に、ＮＤフィルタ羽根及びカメラ用羽根駆動装置に関する。
【背景技術】
【０００２】
従来のカメラ等に適用されるフィルタ羽根としては、光路用の開口部を有する地板、地板に対して揺動自在に支持され開口部に臨む位置と開口部から後退した後退位置との間を移動するフィルタ羽根（絞り羽根）、地板と協働してフィルタ羽根（絞り羽根）を移動自在に収容する羽根室を形成する裏板、フィルタ羽根（絞り羽根）を駆動するべく地板に設けられた電磁アクチュエータ等を備えたカメラ用羽根駆動装置において、フィルタ羽根（絞り羽根）として、地板の（光路用の口径を規定する）開口部よりも小さい口径をなす一対の補強板の間にＮＤフィルタ板を挟み込んだ積層構造を採用したものが知られている（例えば、特許文献１を参照）。
【０００３】
しかしながら、このフィルタ羽根は、ＮＤフィルタ板を一対の補強板で挟み込むと共にＮＤフィルタ板が露出する有効領域の周りを補強板で環状に取り囲んで補強する構成であるため、ＮＤフィルタ板の有効領域を少なくとも地板の開口部と略同一の面積（径寸法）にしてＮＤフィルタ羽根を形成する場合、一対の補強板の外径はさらに大きくなり、それ故に、ＮＤフィルタ羽根を開口部から後退させるためにはより広い後退用のスペース（占有面積）が必要になり、幅広化、大型化を招き、近年のカメラ等における小型化、幅狭化等の要求に対応できるものではなく、又、ＮＤフィルタ板を一対の補強板と同一の面積にして挟み込む構成の場合、ＮＤフィルタ板の外輪郭を一対の補強板の外輪郭を合わせることで組付け時の位置決めは比較的容易に行えるものの、高価なＮＤフィルタ板の使用面積が大きくなりコストの増加を招く。
【０００４】
また、他のフィルタ羽根としては、地板及びカバー板の間に配置されると共に光路用の（口径を規定する）開口部を有する口径規制板を含むカメラ用フィルタ装置において、口径規制板の開口部よりも小さい口径をなす開口部を有する一枚の補強板に対して、少なくとも開口部を覆う大きさにてＮＤフィルタ板を熱溶着したものが知られている（例えば、特許文献２を参照）。
しかしながら、このＮＤフィルタ羽根は、補強板にＮＤフィルタ羽根を熱溶着する際に、開口部を覆うように又補強板の外輪郭からはみ出さないように位置決めして熱溶着しなければならず、補強板に対するＮＤフィルタ板の位置決めが容易ではなく、組付け作業に手間を要するものであるが故に容易に作製できるものではなかった。
【先行技術文献】
【特許文献】
【０００５】
【特許文献１】特開２００４−３０９５３１号公報
【特許文献２】特開２０１０−５４９９６号公報
【発明の概要】
【発明が解決しようとする課題】
【０００６】
本発明は、上記の事情に鑑みて成されたものであり、その目的とするところは、近年のカメラの薄型化、小型化、高機能化等の要求に対応するべく、フィルタ羽根の外輪郭が占める占有面積をできるだけ小さくして、全体として、小型化、幅狭化、薄型化、軽量化、低コスト化等を図りつつも、寸法精度の高精度化等を図れるフィルタ羽根及びカメラ用羽根駆動装置を提供することにある。
【課題を解決するための手段】
【０００７】
本発明のフィルタ羽根は、所定の開口部を覆うべく揺動自在に支持されて駆動されるフィルタ羽根であって、開口部を覆うフィルタ板と、フィルタ板に接合される補強板を含み、フィルタ板は、主位置決め孔及び従位置決め孔を有し、補強板は、主位置決め孔及び従位置決め孔を有し、フィルタ板及び補強板の従位置決め孔は、直線の方向に伸長し、重ねられた状態では略同一位置となるように形成され、フィルタ板の主位置決め孔は、重ねられた状態では直線上のフィルタ板及び補強板の従位置決め孔に対する一方側に配置され、補強板の主位置決め孔は、重ねられた状態では直線上のフィルタ板及び補強板の従位置決め孔に対する他方側に配置される、ことを特徴としている。
【０００８】
本願発明のフィルタ羽根は、所定の開口部を覆うべく揺動自在に支持されて駆動されるフィルタ羽根であって、開口部を覆うフィルタ板と、フィルタ板に接合される補強板を含み、フィルタ板は、主位置決め孔及び従位置決め孔を有し、補強板は、主位置決め孔及び従位置決め孔を有し、フィルタ板及び補強板の主位置決め孔がそれぞれ異なる位置で固定された状態で、フィルタ板及び補強板の従位置決め孔は、重ねられた状態では略同一位置となるように形成されている、とを特徴としている。
【０００９】
上記構成において、補強板は、駆動源の駆動ピンを連結する駆動孔と、揺動自在に支持する支軸を通す支軸孔を有し、補強板の主位置決め孔は支軸孔を兼ねる、構成を採用することができる。
この構成によれば、補強板の主位置決め孔は、接合後において支軸を通す支軸孔として使用されるため、フィルタ羽根を（カメラ用羽根駆動装置等の地板の）所定の支軸に揺動自在に組み込んで使用する際に、フィルタ羽根の組込み時のバラツキ等を低減させることができ、それ故に、フィルタ羽根を所定の限られた狭い空間内で他の部品と干渉することなく高精度に作動させることができる。
【００１０】
上記構成において、フィルタ板は、ＮＤフィルタ板である、構成を採用することができる。
この構成によれば、フィルタ羽根として、ＮＤフィルタ板を用いたＮＤフィルタ羽根を用いることにより、開口部を通過する被写体光等を所望の光量に調節することができる。
【００１１】
本発明のカメラ用羽根駆動装置は、光路用の開口部を有する地板と、地板と平行に配置される裏板と、地板及び裏板の間に収容されると共に開口部に臨む位置と開口部から後退した位置との間を移動する羽根部材と、羽根部材を揺動自在に駆動する駆動源とを備えたカメラ用羽根駆動装置であって、羽根部材は、上記構成をなすフィルタ羽根のうちのいずれか一つのフィルタ羽根である、ことを特徴としている。
この構成によれば、羽根部材として、高い寸法精度で形成されると共に、小型化、幅狭化、薄型化、軽量化、低コスト化が達成されるフィルタ羽根を適用するため、薄型化、小型化、高機能化等が要求されるカメラに対応可能なカメラ用羽根駆動装置を得ることができる。
本願発明のフィルタ羽根は、所定の開口部を覆うべく揺動自在に支持されて駆動されるフィルタ羽根であって、開口部を覆う有効領域から自由端側の領域を形成するフィルタ板と、開口部を覆う有効領域から外れた揺動支点側の領域を形成するべくフィルタ板の片面に接合される補強板を含み、フィルタ板は、第１主位置決め孔及び第２従位置決め孔を有し、補強板は、第２主位置決め孔及び第２従位置決め孔を有し、第１従位置決め孔及び第２従位置決め孔は、第１主位置決め孔が冶具の第１位置決めピンに通され、第２主位置決め孔が冶具の第１位置決めピンとは異なる位置に設けられた第２位置決めピンに通された状態で、第１位置決めピン及び第２位置決めピンとは異なる位置に設けられた共通位置決めピンにそれぞれ通される、ことを特徴としている。
【発明の効果】
【００１２】
上記構成をなす本発明によれば、外輪郭が占める占有面積をできるだけ小さくでき、小型化、幅狭化、薄型化、軽量化、低コスト化、寸法精度の高精度化等を達成できるフィルタ羽根を提供することができ、又、このフィルタ羽根を用いることで、近年のカメラの薄型化、小型化、高機能化等の要求に対応可能なカメラ用羽根駆動装置を提供することができる。
【図面の簡単な説明】
【００１３】
【図１】本発明に係るフィルタ羽根が搭載されたカメラ用羽根駆動装置の一実施形態を示す分解斜視図である。
【図２】図１に示すカメラ用羽根駆動装置において、フィルタ羽根が開口部から後退した位置にある状態を示す平面図である。
【図３】図１に示すカメラ用羽根駆動装置において、フィルタ羽根が開口部に臨む位置にある状態を示す平面図である。
【図４】本発明に係るフィルタ羽根（ハッチング領域はフィルタ板と補強板とが接着剤を用いて接合された部分）を示す平面図である。
【図５】本発明に係るフィルタ羽根を構成するフィルタ板及び補強板を接合する際の接合作業及び冶具を示す平面図である。
【図６】本発明に係るフィルタ羽根を構成するフィルタ板及び補強板を接合する際の接合作業及び冶具を示す側断面図である。
【図７】図１に示すカメラ用羽根駆動装置における組付け手順を示すものであり、（ａ）は地板に対して一つの仕切板が組み付けられた状態を示す平面図、（ｂ）は一つの仕切板の上から羽根部材としてのＮＤフィルタ羽根が組み付けられた状態を示す平面図である。
【図８】図１に示すカメラ用羽根駆動装置における組付け手順を示すものであり、（ｃ）は羽根部材としてのＮＤフィルタ羽根の上から他の仕切板が組み付けられた状態を示す平面図、（ｄ）は他の仕切板の上から裏板が組み付けられた状態を示す平面図である。
【発明を実施するための形態】
【００１４】
以下、本発明の実施形態について、添付図面を参照しつつ説明する。
この実施形態に係るカメラ用羽根駆動装置は、図１に示すように、略円板状の地板１０、地板１０の平行に配置される裏板２０、地板１０と裏板２０の間に配置される二つの仕切板３０，３０、二つの仕切板３０，３０の間に配置される羽根部材及びフィルタ羽根としてのＮＤフィルタ羽根４０、地板１０に設けられた駆動源としての電磁アクチュエータ５０（ロータ５１、ヨーク５２、コイル５３、ボビン一体型の押え板５４等）等を備えている。
【００１５】
地板１０は、図１、図２、図３に示すように、光路用の円形をなす開口部１０ａ、ロータ５１を回動自在に支持する支軸１０ｂ、ロータ５１の駆動ピン５１ａを移動可能に通す扇状の貫通孔１０ｃ、押え板５４を固定するための固定部１０ｄ、仕切板３０，３０を位置決めする位置決め突起１０ｅ、ＮＤフィルタ羽根４０を揺動自在に支持する支軸１０ｆ、ＮＤフィルタ羽根４０を開口部１０ａから後退した後退位置と開口部１０ａに臨む作動位置にそれぞれ停止させるストッパ１０ｇ，１０ｈ、裏板２０を位置決めする位置決め突起１０ｉ、裏板２０を組み付けるための掛止部１０ｊ、裏板２０を締結するべくネジＢを捩じ込むネジ穴１０ｋ等を備えている。
また、地板１０は、略円形の主外輪郭部１０ｍと、ＮＤフィルタ羽根４０が後退位置に位置するときＮＤフィルタ羽根４０の後側外縁部４０ｂを覆うように主外輪郭部１０ｍから突出した凸状外輪郭部１０ｎを含むように形成されている。
【００１６】
裏板２０は、図１、図２、図３に示すように、地板１０と略同一外輪郭をなすように形成され、開口部１０ａよりも大きい内径をなす円形の開口部２０ａ、位置決め突起１０ｅを通す孔２０ｂ、支軸１０ｆを通す孔２０ｃ、ストッパ１０ｇ，１０ｈを通す孔（又は切り欠き）２０ｄ、位置決め突起１０ｉを通す孔２０ｅ、地板１０の掛止部１０ｋにスナップフィットにより掛止される掛止片２０ｊ、ネジＢを通す貫通孔２０ｋ等を備えている。
また、裏板２０は、略円形の主外輪郭部２０ｍと、ＮＤフィルタ羽根４０が後退位置に位置するときＮＤフィルタ羽根４０の後側外縁部４０ｂを覆うように主外輪郭部２０ｍから突出した凸状外輪郭部２０ｎを含むように形成されている。
そして、裏板２０は、二つの仕切板３０，３０、ＮＤフィルタ羽根４０が組み込まれた後に、全体を覆うようにして地板１０に組み付けられ、ネジＢにより締結されるようになっている。
【００１７】
二つの仕切板３０，３０は、図１ないし図３に示すように、略円板状に形成され、略中央領域において開口部１０ａよりも大きく開口し円弧状内縁及び略Ｖ字状内縁を有する開口部３０ａ、位置決め突起１０ｅを通す孔３０ｂ、支軸１０ｆを通す孔３０ｃ、ストッパ１０ｇ，１０ｈを通す孔（又は切り欠き）３０ｄ、位置決め突起１０ｉを通す孔３０ｅ、その他の孔や切り欠き等を備えている。
【００１８】
ＮＤフィルタ羽根４０は、図４及び図６に示すように、フィルタ板としてのＮＤフィルタ板４１と、ＮＤフィルタ板４１の片面に接着剤Ｇｒを用いて接合された補強板４２により構成されている。尚、ＮＤフィルタ板のＮＤフィルタとは、殆んど色の変化を生じることなく光量を減少させる光学濃度フィルタであり、ＮＤとは、Ｎｅｕｔｒａｌ  Ｄｅｎｓｉｔｙの略である。
また、ＮＤフィルタ板４１と補強板４２との接合作業には、図５及び図６に示す冶具６０が用いられる。
冶具６０は、図５及び図６に示すように、所定の間隔をおいて直線Ｌ上に配列して形成された、第１位置決めピン６１、第２位置決めピン６２、共通位置決めピン６３、段差部６４等を備えている。
第１位置決めピン６１は、図５及び図６に示すように、ＮＤフィルタ板４１の主位置決め孔４１ａに隙間なく挿入される円柱状に形成されている。
第２位置決めピン６２は、図５及び図６に示すように、補強板４２の主位置決め孔４２ａに隙間なく挿入される円柱状に形成されている。
共通位置決めピン６３は、図５及び図６に示すように、ＮＤフィルタ板４１の従位置決め孔４１ｂ及び補強板４２の従位置決め孔４２ｂに挿入される円柱状に形成されている。
段差部６４は、図６に示すように、補強板４２の厚さと接着剤Ｇｒの厚さを加えた高さ寸法に形成されている。
【００１９】
ＮＤフィルタ板４１は、ＮＤフィルタ材料を用いて薄板状に形成され（例えば、ポリエチレンテレフタレート（ＰＥＴ）の板材を打ち抜き成形後にその片面又は両面にＮＤフィルタ材料を蒸着等により設けて、０．０５ｍｍ〜０．１ｍｍ程度の厚さに形成され）、ＮＤフィルタ羽根４０のうち開口部１０ａ（図４において二点鎖線で示す円）を覆う有効領域から自由端側の領域を形成するようにして補強板４２と接合されている。
また、ＮＤフィルタ板４１は、図４、図５、図６に示すように、補強板４２との接合時に用いられる主位置決め孔４１ａ及び従位置決め孔４１ｂを備えている。
【００２０】
補強板４２は、ＮＤフィルタ羽根４０が開口部１０ａから後退した位置と開口部１０ａに臨む位置との間を移動する際に開口部１０ａに入り込まない輪郭で、かつ、ＮＤフィルタ羽根４０のうち開口部１０ａを覆う有効領域から外れた揺動支点側の領域を形成するようにしてＮＤフィルタ板４１の片面に接合されている。
また、補強板４２は、地板１０の支軸１０ｆを通す支軸孔として機能すると共にフィルタ板４１との接合時に用いられる主位置決め孔４２ａ、ＮＤフィルタ板４１との接合時に従位置決め孔４１ｂと同一位置に重ねるように配置される従位置決め孔４２ｂ、ロータ５１の駆動ピン５１ａを連結する駆動孔４２ｃ等を備えている。
【００２１】
ＮＤフィルタ板４１の主位置決め孔４１ａは、図５及び図６に示すように、冶具６０の第１位置決めピン６１が隙間なく通される円孔として形成され、又、ＮＤフィルタ板４１の従位置決め孔４１ｂは、図４、図５、図６に示すように、補強板４２との接合時において、冶具６０の共通位置決めピン６３が通されるべく主位置決め孔４１ａ（中心）と主位置決め孔４２ａ（の中心）を結ぶ直線Ｌ上に位置する（配置される）ように、かつ、直線Ｌの方向に伸長する長孔として形成されている。
また、補強板４２の主位置決め孔４２ａは、図５及び図６に示すように、冶具６０の第２位置決めピン６２が隙間なく通される円孔として形成され、又、補強板４２の従位置決め孔４２ｂは、図４、図５、図６に示すように、ＮＤフィルタ板４１との接合時において、冶具６０の共通位置決めピン６３が通されるべく主位置決め孔４１ａ（中心）と主位置決め孔４２ａ（の中心）を結ぶ直線Ｌ上に位置する（配置される）ように、かつ、直線Ｌの方向に伸長する長孔として形成されている。
【００２２】
ここで、ＮＤフィルタ羽根４０を構成するＮＤフィルタ板４１と補強板４２の接合作業について説明すると、図５及び図６に示すように、先ず、主位置決め孔４２ａに第２位置決めピン６２を通しかつ従位置決め孔４２ｂに共通位置決めピン６３を通すようにして、冶具６０の上に補強板４２の配置し、補強板４２の接合領域に予め接着剤Ｇｒを塗布し、続いて、主位置決め孔４１ａに第１位置決めピン６１を通しかつ従位置決め孔４１ｂに共通位置決めピン６３を通すようにして、冶具６０上の補強板４２の上からＮＤフィルタ板４１を配置する。
この際に、補強板４２とＮＤフィルタ板４１との直線Ｌ方向の寸法は、第１位置決めピン６１及び第２位置決めピン６２により規定され、接合時の寸法のバラツキ等が共通位置決めピン６３が挿入された（同一位置に重ねられた）従位置決め孔４１ｂ，４２ｂにおいて吸収されつつ調整され、その状態において、予め塗布した接着剤Ｇｒの硬化により、両者が接着固定される。
尚、ＮＤフィルタ板４１と補強板４２との接合手法としては、接着剤Ｇｒに限るものではなく、両面テープを使用してもよく、又、熱溶着にて接合してもよく、それ以外の接合手法を用いてもよい。
【００２３】
上記構成をなすＮＤフィルタ羽根４０によれば、開口部１０ａを覆う有効領域から自由端側の領域をＮＤフィルタ板４１で形成し、揺動支点側の領域をＮＤフィルタ板４１に接合された補強板４２で形成するため、環状の補強板が無い分だけ開口部１０ａに対応する領域の外輪郭を小さくでき、ＮＤフィルタ羽根４０の小型化、幅狭化、薄型化、軽量化、低コスト化等を達成することができる。
また、ＮＤフィルタ板４１と補強板４２とを接合する際に、所定の冶具６０を用いて、ＮＤフィルタ板４１の主位置決め孔４１ａを冶具６０の第１位置決めピン６１に嵌め込み、補強板４２の主位置決め孔４２ａを冶具６０の第２位置決めピン６２に嵌め込み、ＮＤフィルタ板４１の従位置決め孔４１ｂ及び補強板４２の従位置決め孔４２ｂを冶具６０の共通位置決めピン６３に重なるように嵌め込んで、ＮＤフィルタ板４１と補強板４２とを位置決めしつつ接合作業を行うことができるため、ＮＤフィルタ板４１と補強板４２とを高精度に位置決めして接合することができる。
特に、ＮＤフィルタ板４１及び補強板４２の従位置決め孔４１ｂ、４２ｂが、ＮＤフィルタ板４１の主位置決め孔４１ａと補強板４２の主位置決め孔４２ａを結ぶ直線Ｌ上に配置されかつ直線Ｌの方向に伸長する長孔に形成されているため、共通位置決めピン６３が挿入されたＮＤフィルタ板４１の従位置決め孔４１ｂと補強板４２の従位置決め孔４２ｂで寸法の誤差、製造誤差等を吸収させつつ、ＮＤフィルタ板４１と補強板４２との接合作業を行うことができ、それ故に、ＮＤフィルタ板４１と補強板４２とをより高精度に位置決めして接合することができる。
【００２４】
そして、接合作業が完了したＮＤフィルタ羽根４０は、二つの仕切板３０，３０の間に配置されて、地板１０の支軸１０ｆを主位置決め孔４２ａに通して揺動自在に支持されると共に、ロータ５１の駆動ピン５１ａを駆動孔４２ｃに通すことで駆動力が及ぼされ、図２に示すように開口部１０ａから後退した位置と図３に示すように開口部１０ａに臨む位置との間を移動するようになっている。
ここでは、補強板４２の主位置決め孔４２ａが支軸１０ｆを通す支軸孔として兼用されている（ＮＤフィルタ羽根４０を製造する際に使用した基準孔を装置に組み込んで作動させる際の基準孔としても使用する）ため、ＮＤフィルタ羽根４０を、カメラ用羽根駆動装置等の地板１０支軸１０ｆに揺動自在に組み込んで使用する際に、ＮＤフィルタ羽根４０の組込み時のバラツキ等を低減させることができ、それ故に、ＮＤフィルタ羽根４０を所定の限られた狭い空間内で、他の部品と干渉することなく、高精度に作動させることができる。
【００２５】
電磁アクチュエータ５０は、図１に示すように、所定の角度範囲を回動するロータ５１、磁路を形成するヨーク５２、励磁用のコイル５３、押え板５４等を備えている。
ロータ５１は、ＮＤフィルタ羽根４０の駆動孔４２ｃに連結される駆動ピン５１ａ、円筒状のマグネット５１ｂ等を備え、地板１０の支軸１０ｂにより所定の角度範囲を回動自在に支持されている。
ヨーク５２は、略Ｕ字状に形成されて二つの磁極部がロータ５１の外周面に対向するように押え板５４の嵌合孔に嵌合されて固定されるように形成されている。
コイル５３は、押え板５４に一体形成されたボビン部分に巻回されている。
押え板５４は、ヨーク５２を嵌め込む嵌合孔、コイル５３を巻回するボビン部分を一体的に有すると共に、支軸１０ｂに嵌め込まれたロータ５１の抜け落ちを防止するように、地板１０の固定部１０ｄに固定されるようになっている。
【００２６】
次に、上記構成をなすカメラ用羽根駆動装置の組み立てについて、図７及び図８を参照しつつ説明する。
先ず、電磁アクチュエータ５０が地板１０の表側に取り付けられた状態において、図７（ａ）に示すように、地板１０の裏側において、一つの仕切板３０が取り付けられる。
続いて、図７（ｂ）に示すように、一つの仕切板３０上から、この仕切板３０に隣接するようにしてＮＤフィルタ羽根４０が取り付けられる。
続いて、図８（ｃ）に示すように、ＮＤフィルタ羽根４０の上から、他の仕切板３０が配置されて取り付けられる。
最後に、図８（ｄ）に示すように、仕切板３０の上から、裏板２０が取り付けられてネジＢにより地板１０に締結される。
このように、装置の組み付けに際しても、各々の部品を順次に重ね合わせるようにして取り付けていくことで、装置の組付けが完了するため、組付け作業を容易に行うことができる。
【００２７】
上記構成をなすＮＤフィルタ羽根４０を搭載したカメラ用羽根駆動装置によれば、羽根部材として、高い寸法精度で形成されると共に、小型化、幅狭化、薄型化、軽量化、低コスト化が達成されるＮＤフィルタ羽根４０を適用するため、薄型化、小型化、高機能化等が要求されるカメラに対応可能なカメラ用羽根駆動装置を得ることができる。
【００２８】
上記実施形態においては、羽根部材として、ＮＤフィルタ板４１が補強板４２と接合されたＮＤフィルタ羽根４０を示したが、これに限定されるものではなく、光量を調節するために用いられるフィルタ板であればＮＤフィルタ板４１以外のフィルタ板を適用することができる。
上記実施形態においては、羽根部材として、ＮＤフィルタ羽根４０を備えたカメラ用羽根駆動装置を示したが、これに限定されるものではなく、ＮＤフィルタ羽根４０の他に、開口部１０ａを開閉するシャッタ羽根あるいは開口部１０ａを絞る絞り羽根を備えた構成において、本発明を採用してもよい。
【産業上の利用可能性】
【００２９】
以上述べたように、本発明のフィルタ羽根は、外輪郭が占める占有面積をできるだけ小さくでき、小型化、幅狭化、薄型化、軽量化、低コスト化、寸法精度の高精度化等を達成できるため、近年の薄型化、小型化、高機能化等が要求されるカメラ等のカメラ用羽根駆動装置に適用できるのは勿論のこと、その他のカメラや光学機器においても有用である。
【符号の説明】
【００３０】
１０  地板
１０ｆ  支軸
１０ａ  開口部
２０  裏板
３０  仕切板
４０  ＮＤフィルタ羽根（フィルタ羽根、羽根部材）
４１  ＮＤフィルタ板（フィルタ板）
４１ａ  主位置決め孔
４１ｂ  従位置決め孔
４２  補強板
４２ａ  主位置決め孔（支軸孔）
４２ｂ  従位置決め孔
４２ｃ  駆動孔
５０  電磁アクチュエータ（駆動源）
５１  ロータ
５１ａ  駆動ピン
６０  冶具
６１  第１位置決めピン
６２  第２位置決めピン
６３  共通位置決めピン
６４  段差部
【図１】
0005941034.tif 000002
【図２】
0005941034.tif 000003
【図３】
0005941034.tif 000004
【図４】
0005941034.tif 000005
【図５】
0005941034.tif 000006
【図６】
0005941034.tif 000007
【図７】
0005941034.tif 000008
【図８】
0005941034.tif 000009